(57)【要約】【課題】従来煩雑であった出力装置における出力レイアウトの設定操作を簡易にする。【解決手段】印刷制御部１００は、表示装置３０３の近傍に位置する印刷装置４０５を検知し、印刷装置４０５の配置位置を示す配置位置情報を取得する。そして、印刷制御部１００は、上記配置位置情報に示される印刷装置４０５の配置位置と、表示装置３０３に表示されているデータの表示位置との関係に応じて、データの出力レイアウトを決定する。【選択図】図１
2010277552.tif 000002
【特許請求の範囲】
【請求項１】
表示手段に表示されているデータの出力制御を行う出力制御装置であって、
前記表示手段の近傍に位置する出力装置を検知する検知手段と、
前記出力装置の配置位置を示す配置位置情報を取得する取得手段と、
前記配置位置情報に示される前記出力装置の配置位置と、前記表示手段に表示されている前記データの表示位置との関係に応じて、前記データの出力レイアウトを決定する決定手段と、
前記決定手段により決定された前記出力レイアウトで前記データを前記出力装置で出力させるよう制御する制御手段とを有することを特徴とする出力制御装置。
【請求項２】
前記出力装置の配置位置を基準とする前記データの出力範囲を示す範囲情報を入力する範囲入力手段を更に有し、
前記決定手段は、前記出力装置の配置位置から前記範囲情報で示される出力範囲内に配置される前記データを出力対象とする出力レイアウトを決定することを特徴とする請求項１に記載の出力制御装置。
【請求項３】
前記データの出力モードを示す出力モード情報を入力する出力モード入力手段を更に有し、
前記決定手段は、前記出力モード情報で示される出力モードで前記データを出力する出力レイアウトを決定することを特徴とする請求項１又は２に記載の出力制御装置。
【請求項４】
前記出力モード情報で示される出力モードは、前記データを用紙上にサムネイルで出力するモードと、前記データを用紙の両面に出力するモードと、前記表示手段上における前記データの表示角度を反映させて用紙上に前記データを出力するモードとのうちの少なくとも何れか一つを含むことを特徴とする請求項３に記載の出力制御装置。
【請求項５】
前記配置位置情報は、前記出力装置が配置されている前記表示手段上の座標を示す情報であることを特徴とする請求項１乃至４の何れか１項に記載の出力制御装置。
【請求項６】
表示手段に表示されているデータの出力制御を行う出力制御装置の制御方法であって、
前記表示手段の近傍に位置する出力装置を検知する検知ステップと、
前記出力装置の配置位置を示す配置位置情報を取得する取得ステップと、
前記配置位置情報に示される前記出力装置の配置位置と、前記表示手段に表示されている前記データの表示位置との関係に応じて、前記データの出力レイアウトを決定する決定ステップと、
前記決定ステップにより決定された前記出力レイアウトで前記データを前記出力装置で出力させるよう制御する制御ステップとを含むことを特徴とする出力制御装置の制御方法。
【請求項７】
表示手段に表示されているデータの出力制御を行う出力制御装置の制御方法をコンピュータに実行させるためのプログラムであって、
前記表示手段の近傍に位置する出力装置を検知する検知ステップと、
前記出力装置の配置位置を示す配置位置情報を取得する取得ステップと、
前記配置位置情報に示される前記出力装置の配置位置と、前記表示手段に表示されている前記データの表示位置との関係に応じて、前記データの出力レイアウトを決定する決定ステップと、
前記決定ステップにより決定された前記出力レイアウトで前記データを前記出力装置で出力させるよう制御する制御ステップとをコンピュータに実行させるためのプログラム。
【発明の詳細な説明】
【技術分野】
【０００１】
本発明は、表示手段に表示されているデータの出力制御を行う技術に関するものである。
【背景技術】
【０００２】
近年、携帯情報端末をテーブル型ディスプレイに接触させ、テーブル型ディスプレイ上における携帯情報端末との接触位置と携帯情報端末との間でデータを通信するシステムが実現されている。このようなシステムにおいては、携帯情報端末からテーブル型ディスプレイ上の任意の位置にコンテンツデータを配置させることを、テーブル型ディスプレイ上の任意の位置へ携帯情報端末を接触させるという物理的な操作で実現可能である。また、テーブル型ディスプレイ上の任意の位置に配置されているコンテンツデータを携帯情報端末が取得することも、テーブル型ディスプレイの任意の位置へ携帯情報端末を接触させるという物理的な操作で実現可能である。
【０００３】
それまでは、携帯情報端末又はテーブル型ディスプレイ上のユーザインタフェースを操作して制御を行っていたのに対し、上述した制御であれば、ユーザにとって操作をより分かり易く、且つ簡易に操作できる効果を有する。
【０００４】
なお、特許文献１には、ユーザがＩＣカードの位置及び向きを検出する端末装置上にＩＣカードを配置し、各ＩＣカードに対応するオブジェクトのポジションやフォーメーションを指示することができるカードゲーム装置が開示されている。
【先行技術文献】
【特許文献】
【０００５】
【特許文献１】特開２００４−４１７４０号公報
【発明の概要】
【発明が解決しようとする課題】
【０００６】
上述した従来例のユースケースにおいては、テーブル型ディスプレイ上への接触対象とすることのできるオブジェクトは汎用な計算処理が可能な携帯情報端末に限ったものではなく、プリンタ等の特殊な処理が可能な携帯情報端末であっても同様に有効である。一例として、近年市販されている携帯型のハンディプリンタをテーブル型ディスプレイ上に置き、テーブル型ディスプレイ上に配置されたコンテンツオブジェクトを印刷するという場合が想定される。
【０００７】
このユースケースの場合、テーブル型ディスプレイ上に配置された任意のコンテンツの選択は上記の通り容易に実現可能である。但し、プリンタには印刷に伴う印刷レイアウトや印刷枚数等の複数の設定パラメータがあり、これらのパラメータを設定するためにユーザはユーザインタフェースを操作して印刷パラメータを設定しなければならない。また、テーブル型ディスプレイを使用するユースケースでは、ユーザが複数いることが想定され、これら複数のユーザが印刷パラメータを設定する操作を行うと、より操作が複雑化すると考えられる。
【０００８】
そこで、本発明の目的は、従来煩雑であった出力装置における出力レイアウトの設定操作を簡易にすることにある。
【課題を解決するための手段】
【０００９】
本発明の出力制御装置は、表示手段に表示されているデータの出力制御を行う出力制御装置であって、前記表示手段の近傍に位置する出力装置を検知する検知手段と、前記出力装置の配置位置を示す配置位置情報を取得する取得手段と、前記配置位置情報に示される前記出力装置の配置位置と、前記表示手段に表示されている前記データの表示位置との関係に応じて、前記データの出力レイアウトを決定する決定手段と、前記決定手段により決定された前記出力レイアウトで前記データを前記出力装置で出力させるよう制御する制御手段とを有することを特徴とする。
【発明の効果】
【００１０】
本発明においては、表示手段に表示されているデータの表示位置と、出力装置の配置位置との位置関係に応じて当該データの出力レイアウトを決定するように構成している。従って、本発明によれば、従来煩雑であった出力装置における出力レイアウトの設定操作を簡易にすることが可能となる。
【図面の簡単な説明】
【００１１】
【図１】本発明の実施形態に係る印刷システムの主要部の構成を示すブロック図である。
【図２】印刷制御部の処理の流れを示すフローチャートである。
【図３】本発明の実施形態によって実現される実行例を説明するための図である。
【図４】本発明の実施形態によって実現される実行例を説明するための図である。
【図５】本発明の実施形態によって実現される実行例を説明するための図である。
【図６】本発明の実施形態によって実現される実行例を説明するための図である。
【図７】本発明の実施形態によって実現される実行例を説明するための図である。
【図８】印刷レイアウト情報の構成を示す図である。
【発明を実施するための形態】
【００１２】
以下、本発明を適用した好適な実施形態を、添付図面を参照しながら詳細に説明する。なお、以下の実施形態において示す構成は一例に過ぎず、本発明は図示された構成に限定されるものではない。
【００１３】
図１は、本発明の実施形態に係る印刷システムの主要部の構成を示すブロック図である。図１に示すように、本実施形態に係る印刷システムは、印刷制御部１００、データ記憶部２０２、表示装置３０３、印刷装置４０５、表示部５００、ユーザ入力部５０１から構成される。
【００１４】
印刷制御部１００は、図１に示す各部により構成される。本実施形態では、端末検知部１０６及び通信部１０７は、アナログ無線通信回路とハードウエア論理回路により実装し、その他の構成１０１〜１０５はプロセッサ上のファームウエアに実装することを想定している。なお、印刷制御部１００は、この他メモリやＩＯ等の周辺回路を含むが、特に重要ではないため図１には示していない。
【００１５】
データ記憶部２０２は、表示装置３０３に表示する各コンテンツのコンテンツパラメータ２００とコンテンツデータ２０１とを保持する記憶部であり、本実施形態ではメモリにより実装することを想定している。
【００１６】
ここでコンテンツパラメータ２００は、各コンテンツのヘッダ情報であり、コンテンツアドレス位置情報、コンテンツサイズ及びコンテンツ配置情報から成る。
【００１７】
また、コンテンツデータ２０１は各コンテンツのデータ部分であり、一例として、コンテンツが画像の場合には画像データ、コンテンツが映像の場合には映像ストリームデータが保持される。なお、コンテンツデータ２０１は、本発明のデータの適用例となる構成である。
【００１８】
表示装置３０３は、コンテンツデータ２０１を表示するための装置であり、データアクセス部３００と画面形成部３０１と表示部３０２とから成る。なお、表示装置３０３は、本発明の表示手段の適用例となる構成である。
【００１９】
ここでデータアクセス部３００は、データ記憶部２０２とデータアクセスを行うための構成であり、データ記憶部２０２からコンテンツパラメータ２００とコンテンツデータ２０１とを取得し、画面形成部３０１へ入力する。
【００２０】
画面形成部３０１は、コンテンツパラメータ２００で指定される通りにコンテンツデータ２０１を配置し、表示すべきイメージデータを生成する。
【００２１】
次に画面形成部３０１は、表示部３０２へ上記イメージデータを入力する。表示部３０２は上記イメージデータを表示し、ユーザに提示する。
【００２２】
印刷装置４０５は、コンテンツデータ２０１を印刷するための装置であり、通信部４００とデータアクセス部４０１と画像形成部４０３と印刷部４０４とから成る。そのほか、印刷装置４０５は、印刷パラメータ情報４０２を保持する機能も有する。
【００２３】
通信部４００は、印刷制御部１００との間で無線通信するための機構であり、印刷パラメータ情報の取得及び端末情報の送出を行う。通信部４００は印刷パラメータ情報を取得した後、データアクセス部４０１と印刷パラメータ情報４０２を保持するための機能へ入力する。
【００２４】
データアクセス部４０１はデータ記憶部２０２とデータアクセスを行うための機能であり、データ記憶部２０２からコンテンツパラメータ２００とコンテンツデータ２０１とを取得し、画像形成部４０３へ入力する。
【００２５】
次に印刷パラメータ情報４０２を保持するための機能は、入力された印刷パラメータ情報を保持し、画像形成部４０３へ入力する。
【００２６】
画像形成部４０３は、印刷するイメージデータを生成するための機能であり、コンテンツパラメータ２００とコンテンツデータ２０１を印刷パラメータ情報で指定されるとおりに配置したイメージデータを生成し、印刷部４０４へ入力する。
【００２７】
印刷部４０４は入力されたイメージデータを印刷用紙に印刷する。表示部５００は表示装置と周辺回路により実装され、印刷制御部１００から入力された印刷待機情報をユーザに対して提示するための機能を持つ。
【００２８】
ユーザ入力部５０１はユーザの入力を受け付け、印刷制御部１００へ印刷決定情報と印刷モード情報を入力する機能を持つ。
【００２９】
次に印刷制御部１００の処理について説明する。以下の説明は、印刷制御部１００内の各機能構成の説明も兼ねるものとする。図２は、印刷制御部１００の処理の流れを示すフローチャートである。
【００３０】
図２において、端末検知部１０６は近傍に印刷装置４０５が存在するか否かを無線通信により検知する（ステップＳ２０１、Ｓ２０２）。端末検知部１０６（表示装置３０３）の近傍に印刷装置４０５の存在が検知できた場合、端末検知部１０６は、通信部１０７に印刷装置４０５の検知を通知する（ステップＳ２０３）。一方、端末検知部１０６の近傍に印刷装置４０５の存在が検知できなかった場合、印刷装置４０５の存在の検知を継続する。なお、ステップＳ２０１、Ｓ２０２は、本発明の検知手段の処理例である。
【００３１】
続いて、端末検知部１０６は、検知した印刷装置４０５の端末配置情報を取得し、印刷レイアウト決定部１０２へ入力する（ステップＳ２０４）。ここで端末配置情報とは、表示装置３０３上の印刷装置４０５が配置された物理的な座標情報であり、印刷装置４０５の配置座標、配置領域、配置向きから成る。なお、端末配置情報は、本発明の配置位置情報の適用例となる構成である。また、ステップＳ２０４は、本発明の取得手段の処理例である。
【００３２】
続いて、通信部１０７は、端末情報取得部１０４に印刷装置４０５の存在を通知し、端末情報取得部１０４を起動する。端末情報取得部１０４は通信部１０７を制御して印刷装置４０５の端末情報を取得し、印刷レイアウト決定部１０２へ入力する（ステップＳ２０５）。ここで端末情報とは、検知された印刷装置４０５の有する印刷機能を含む。
【００３３】
続いて、ユーザ入力部５０１は、ユーザによって指定される印刷モード情報を取得し、印刷レイアウト決定部１０２へ入力する（ステップＳ２０６）。ここで印刷モード情報とは、印刷装置４０５によって実現される印刷モードの中からいずれを実行するかを指定した情報であり、本実施形態では角度指定モード、両面印刷モード、サムネイル印刷モード、印刷範囲情報から成る。なお、印刷モード情報は、本発明の出力モード情報の適用例となる構成である。また、ステップＳ２０６は、本発明の出力モード入力手段の処理例である。
【００３４】
続いて、データアクセス部１０３は、データ記憶部２０２からコンテンツパラメータ２００を取得し、印刷レイアウト決定部１０２へ入力する（ステップＳ２０７）。ここでコンテンツパラメータ２００とは、表示装置３０３上に表示されているコンテンツデータ２０１の付加情報であり、コンテンツアドレス位置情報、コンテンツサイズ、コンテンツ配置情報から成る。以上で印刷レイアウト決定部１０２への情報入力が完了する。なお、ここで各情報入力の順序は一例であり、上述の順に既定されている必要は無い。
【００３５】
印刷レイアウト決定部１０２は、上述した端末配置情報、端末情報、印刷モード情報、コンテンツパラメータ２００を入力とし、各コンテンツデータ２０１の印刷レイアウトを決定する。具体的には、印刷レイアウト決定部１０２は、印刷モード情報の印刷範囲情報を参照し、表示装置３０３上の上記印刷範囲情報で指定される印刷範囲内にコンテンツデータ２０１が配置されているか否かを判定する（ステップＳ２０８）。
【００３６】
印刷範囲内にコンテンツデータが配置されていない場合には、印刷レイアウト決定部１０２は処理が連続してループしないよう、一定時間処理を停止（ステップＳ２１０）した後、ステップＳ２０１からの端末検知部１０６における検知処理に戻る。一方、コンテンツデータ２０１が配置されている場合には、印刷レイアウト決定部１０２は、印刷範囲情報で指定される印刷範囲内に配置されているコンテンツデータ２０１の情報を印刷レイアウト情報に追加する（ステップＳ２０９）。即ち、ステップＳ２０９では、印刷装置４０５の配置位置を基準とするコンテンツデータの（印刷範囲）出力範囲を示す印刷範囲情報を参照する。そして、その印刷範囲情報で示される印刷範囲内（出力範囲内）に配置されるコンテンツデータを出力対象とする印刷レイアウト（出力レイアウト）を決定する処理が行われる。なお、ステップＳ２０９は、本発明の決定手段の処理例である。また、印刷範囲情報を含む印刷モード情報を入力する処理は、本発明の範囲入力手段の処理例である。
【００３７】
図８は、印刷レイアウト情報８００の構成を示す図である。印刷レイアウト情報８００は、印刷用紙上のコンテンツデータの配置に関わるデータのセットであり、ページ単位のレイアウト情報のセットである複数のページレイアウト情報８０１から成る。
【００３８】
各ページレイアウト情報８０１は、印刷用紙のサイズを指定するページサイズ情報８０２と、印刷用紙に配置するコンテンツデータのレイアウトを指定する複数の印刷コンテンツ情報８０３とから成る。
【００３９】
各印刷コンテンツ情報８０３は、該当するコンテンツデータの印刷用紙上の配置座標を示す印刷座標８０４と、配置サイズを示す印刷サイズ８０５と、配置角度を示す印刷角度８０６と、データ記憶部２０２上において該当するコンテンツデータの格納されているメモリアドレスを示すコンテンツアドレス位置情報８０７と、該当するコンテンツデータの元のサイズを示すコンテンツ元サイズ情報８０８とから成る。
【００４０】
再び図２の説明に戻すと、次に印刷レイアウト決定部１０２は印刷モード情報を参照し、印刷モード情報が角度指定モード、両面印刷モード、サムネイル印刷モードのいずれであるかを判定する（ステップＳ２１１）。
【００４１】
印刷モード情報が角度指定モードを指定していた場合、印刷レイアウト決定部１０２は、上記印刷レイアウト情報で指定される各コンテンツデータ２０１の印刷レイアウト情報８００の印刷角度８０６を、コンテンツ配置情報の角度が反映されるよう設定する（ステップＳ２１２）。
【００４２】
また、印刷モード情報が両面印刷モードを指定していた場合、印刷レイアウト決定部１０２は、印刷レイアウト情報８００のページレイアウト情報８０１が両面印刷となるよう設定する（ステップＳ２１３）。
【００４３】
また、印刷モード情報がサムネイル印刷モードを指定していた場合、印刷レイアウト決定部１０２は、印刷レイアウト情報８００の印刷座標８０４と印刷サイズ８０５とを、印刷対象の全てのコンテンツデータ２０１が印刷用紙１枚に収まるよう設定する（ステップＳ２１４）。
【００４４】
以上で印刷レイアウト決定部１０２は印刷レイアウト情報８００を生成し、印刷パラメータ決定部１０１へ印刷レイアウト情報８００と端末情報とを入力する（ステップＳ２１５）。
【００４５】
印刷パラメータ決定部１０１は、入力された印刷レイアウト情報８００と端末情報とを基に、印刷装置４０５に対する設定データを生成する。具体的には、端末情報で指定される印刷装置４０５において、印刷レイアウト情報８００で指定される印刷レイアウトが実現されるよう、印刷装置４０５の機器の設定値である印刷パラメータ情報を生成する。ここで印刷パラメータ情報とは、具体的には印刷装置４０５の有する制御レジスタ及び制御メモリの設定情報を指す。次に印刷パラメータ決定部１０１は、端末制御部１０５へ印刷パラメータ情報を入力する（ステップＳ２１６）。
【００４６】
端末制御部１０５は、印刷パラメータ情報が入力された後、表示部５００へ印刷が可能であることを示す印刷待機情報を入力する。このことにより印刷制御部１００が印刷待機状態に入ったことをユーザに通知する（ステップＳ２１７）。
【００４７】
続いて、端末制御部１０５は、ユーザにより印刷の決定入力がなされたか否かを判定し、ユーザの承認を待つ状態に入る（ステップＳ２１８）。ユーザが表示部５００を確認し、印刷の決定入力がなされた場合、ユーザ入力部５０１は端末制御部１０５に印刷決定情報を入力する（ステップＳ２１９）。一方、印刷の決定入力がなされなかった場合、処理はステップＳ２１８に戻る。
【００４８】
ステップＳ２１９に続いて、端末制御部１０５は印刷パラメータ情報を通信部１０７を介して印刷装置４０５へ設定する（ステップＳ２２０）。
以上で印刷制御部１００の一連の処理フローは完了する。
【００４９】
次に本実施形態によって実現される処理の実行例を図３〜図７を用いて説明する。図３は、本実施形態の使用例を示す図である。テーブル型ディスプレイ６０５に複数のコンテンツデータ６１０が表示され、さらにテーブル型ディスプレイ６０５上に携帯プリンタ６０３が設置されている。この状態をテーブル型ディスプレイ６０５の上面から見た状態を図４、図５、図６、図７のテーブル型ディスプレイ６０５に示す。
【００５０】
なお、図１における印刷制御部１００、データ記憶部２０２、表示装置３０３、表示部５００及びユーザ入力部５０１は、テーブル型ディスプレイ６０５が備える構成である。また、図１の印刷装置４０５は、携帯プリンタ６０３に対応する構成である。テーブル型ディスプレイ６０５は、本発明の出力制御装置の適用例となる構成であり、携帯プリンタ６０３は、本発明の出力装置の適用例となる構成である。
【００５１】
図４に示す実行例においては、携帯プリンタ６０３の一定距離内を印刷範囲６３０に設定し、この範囲内にあるコンテンツデータＣ６００とコンテンツデータＢ６０２を印刷対象としている。
【００５２】
次に携帯プリンタ６０３は、図４の印刷用紙６２０に示すように、上記２つのコンテンツデータをサムネイル印刷モードで片面に印刷出力する。この実行例では、ユーザは印刷対象としたいコンテンツデータ近傍に携帯プリンタ６０３を設置することで、従来必要であった印刷パラメータの設定操作を軽減している。
【００５３】
図５に示す実行例は、携帯プリンタ６０３の印刷モードが両面印刷モードであった場合を示している。この例においては、携帯プリンタ６０３の設置位置から一定距離内に表示されているコンテンツデータＣ６００とコンテンツデータＢ６０２を、印刷用紙６２０のそれぞれ表面、裏面に印刷している。
【００５４】
図６に示す実行例は、携帯プリンタ６０３の印刷範囲６３０の形状とサイズを変えた例を示している。この例においては印刷範囲形状が矩形で、印刷範囲サイズがテーブル型ディスプレイ６０５の全域である場合を示している。この結果、印刷用紙６２０の片面にはコンテンツデータＡ６０１、コンテンツデータＣ６００、コンテンツデータＢ６０２、コンテンツデータＤ６０４がサムネイル印刷される。
【００５５】
図７に示す実行例は、携帯プリンタ６０３の印刷モードが、各コンテンツデータの表示角度を反映して印刷するモードであった場合を示している。この実行例では携帯プリンタ６０３はテーブル型ディスプレイ６０５に表示されているコンテンツを印刷する際、各コンテンツの表示角度を反映して印刷するよう制御される。一例として、ディスプレイ６０５と平行に配置されたコンテンツデータＤ６０４は印刷用紙６２０と平行になるよう印刷される。ディスプレイ６０５に対し任意の角度をもって配置されたコンテンツデータＡ６０１は、印刷用紙６２０に対しても任意の角度を持って印刷されるよう制御される。
【００５６】
なお、印刷範囲６３０の形状またはサイズ、印刷モードの組み合わせはここで説明した例に限定したものではなく、これらの任意の組み合わせであってもよい。
【００５７】
上述した実施形態においては、表示装置３０３上に表示されたコンテンツと表示装置３０３上に配置された印刷装置４０５の位置関係から印刷装置４０５におけるレイアウトが自動的に決定される。このことにより、従来煩雑だった印刷装置４０５のレイアウト設定の操作を簡易にすることが可能になる。
【００５８】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００５９】
また、本発明は、例えば、システム、装置、方法、プログラムもしくは記録媒体等としての実施形態も可能であり、具体的には、一つの機器からなる装置に適用してもよい。
【００６０】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【符号の説明】
【００６１】
１００  印刷制御部、１０１  印刷パラメータ決定部、１０２  印刷レイアウト決定部、１０３  データアクセス部、１０４  端末情報取得部、１０５  端末制御部、１０６  端末検知部、１０７  通信部、２００  コンテンツパラメータ、２０１  コンテンツデータ、２０２  データ記憶部、３００  データアクセス部、３０１  画像形成部、３０２  表示部、３０３  表示装置、４００  通信部、４０１  データアクセス部、４０２  印刷パラメータ情報、４０３  画像形成部、４０４  印刷部、４０５  印刷装置、５００  表示部、５０１  ユーザ入力部、６０５  テーブル型ディスプレイ、６００〜６０２、６０４、６１０  コンテンツデータ、６２０  印刷用紙、８００  印刷レイアウト情報、８０１  ページレイアウト情報、８０２  ページサイズ情報、８０３  印刷コンテンツ情報、８０４  印刷座標、８０５  印刷サイズ、８０６  印刷角度、８０７  コンテンツアドレス位置情報、８０８  コンテンツ元サイズ情報
【図１】
2010277552.tif 000003
【図２】
2010277552.tif 000004
【図３】
2010277552.tif 000005
【図４】
2010277552.tif 000006
【図５】
2010277552.tif 000007
【図６】
2010277552.tif 000008
【図７】
2010277552.tif 000009
【図８】
2010277552.tif 000010